(57)【要約】【課題】利用者の移動状態に応じた有益な情報を適切なタイミングで利用者に提供することが可能な情報提供システム、情報提供方法、及び情報提供プログラムを提供すること。【解決手段】情報提供システム１００は、現在時刻を取得する時刻取得処理部１１１と、利用者が所持する利用者端末２から前記利用者の現在位置を取得する位置取得処理部１１２と、前記利用者が公共交通機関により移動中であるか否かを判定する判定処理部１１４と、判定処理部１１４により前記利用者が前記公共交通機関により移動中であると判定された場合に、時刻取得処理部１１１により取得される前記現在時刻と、位置取得処理部１１２により取得される前記現在位置とに基づいて、所定の施設に対応する施設情報を利用者端末２に提供する情報提供処理部１１６と、を備える。【選択図】図１
2020030573.tif 000002
【特許請求の範囲】
【請求項１】
現在時刻を取得する時刻取得処理部と、
利用者が所持する利用者端末から前記利用者の現在位置を取得する位置取得処理部と、
前記利用者が公共交通機関により移動中であるか否かを判定する判定処理部と、
前記判定処理部により前記利用者が前記公共交通機関により移動中であると判定された場合に、前記時刻取得処理部により取得される前記現在時刻と、前記位置取得処理部により取得される前記現在位置とに基づいて、所定の施設に対応する施設情報を前記利用者端末に提供する情報提供処理部と、
を備える情報提供システム。
【請求項２】
前記利用者の移動速度を検出する移動検出処理部をさらに備え、
前記判定処理部は、前記位置取得処理部により取得される前記現在位置と、前記移動検出処理部により検出される前記移動速度とに基づいて、前記利用者が前記公共交通機関により移動中であるか否かを判定する、
請求項１に記載の情報提供システム。
【請求項３】
前記情報提供処理部は、前記利用者が前記公共交通機関に乗ってから第１所定時間が経過した場合に、前記施設情報を前記利用者端末に提供する、
請求項２に記載の情報提供システム。
【請求項４】
前記情報提供処理部は、前記移動検出処理部により検出される前記移動速度の加速度が閾値以下になった場合に、前記施設情報を前記利用者端末に提供する、
請求項２に記載の情報提供システム。
【請求項５】
前記利用者端末の操作状態を検出する操作検出処理部をさらに備え、
前記情報提供処理部は、前記利用者端末が前記利用者により操作されていない場合に、前記施設情報を前記利用者端末に提供する、
請求項２に記載の情報提供システム。
【請求項６】
前記利用者端末の操作状態を検出する操作検出処理部をさらに備え、
前記情報提供処理部は、前記利用者端末が前記利用者により所定の操作が行われた場合に、前記施設情報を前記利用者端末に提供する、
請求項２に記載の情報提供システム。
【請求項７】
前記移動検出処理部は、さらに前記利用者の移動方向を検出し、
前記情報提供処理部は、前記位置取得処理部により取得される前記現在位置よりも、前記移動検出処理部により検出される前記移動方向に位置する前記施設に対応する前記施設情報を前記利用者端末に提供する、
請求項２から６の何れか１項に記載の情報提供システム。
【請求項８】
前記情報提供処理部は、
前記時刻取得処理部により取得される前記現在時刻に利用可能な前記施設に対応する前記施設情報と、前記現在時刻から第２所定時間以内に利用可能になる前記施設に対応する前記施設情報との少なくとも何れか一方を、前記利用者端末に提供し、
前記現在時刻に利用可能でない前記施設に対応する前記施設情報と、前記現在時刻から前記第２所定時間以内に利用可能にならない前記施設に対応する前記施設情報とを、前記利用者端末に提供しない、
請求項１から７の何れか１項に記載の情報提供システム。
【請求項９】
前記利用者の移動履歴に基づいて、前記利用者が利用する駅又はバス停留所を示す利用停車場を特定する特定処理部をさらに備え、
前記情報提供処理部は、前記特定処理部により特定される前記利用停車場に関連付けられた前記施設に対応する前記施設情報を前記利用者端末に提供する、
請求項１から８の何れか１項に記載の情報提供システム。
【請求項１０】
現在時刻を取得し、
利用者が所持する利用者端末から前記利用者の現在位置を取得し、
前記利用者が公共交通機関により移動中であるか否かを判定し、
前記利用者が前記公共交通機関により移動中であると判定された場合に、前記現在時刻と前記現在位置とに基づいて、所定の施設に対応する施設情報を前記利用者端末に提供する、
情報提供方法。
【請求項１１】
現在時刻を取得するステップと、
利用者が所持する利用者端末から前記利用者の現在位置を取得するステップと、
前記利用者が公共交通機関により移動中であるか否かを判定するステップと、
前記利用者が前記公共交通機関により移動中であると判定された場合に、前記現在時刻と前記現在位置とに基づいて、所定の施設に対応する施設情報を前記利用者端末に提供するステップと、
をコンピュータに実行させるための情報提供プログラム。
【発明の詳細な説明】
【技術分野】
【０００１】
本発明は、情報提供システム、情報提供方法、及び情報提供プログラムに関する。
【背景技術】
【０００２】
従来、利用者が電車など公共交通機関を利用して移動しているときに利用者の携帯端末に所定の情報を提供する技術が提案されている。例えば特許文献１には、利用者が所定速度以上の速度で移動（電車、バスにより移動）している場合に、利用者の携帯端末においてテレビ番組、動画、電子書籍などのコンテンツを出力する技術が開示されている。
【先行技術文献】
【特許文献】
【０００３】
【特許文献１】特開２００９−２８４２５５号公報
【発明の概要】
【発明が解決しようとする課題】
【０００４】
しかし、前記従来の技術は、利用者が安全に移動しているときにはコンテンツの視聴を可能にすることを目的としたものであるため、利用者の移動状態と利用者に提供される情報（コンテンツ）の内容との間に関連性はない。よって、従来の技術では、利用者の移動状態に応じた有益な情報を提供することは困難である。
【０００５】
本発明の目的は、利用者の移動状態に応じた有益な情報を適切なタイミングで利用者に提供することが可能な情報提供システム、情報提供方法、及び情報提供プログラムを提供することにある。
【課題を解決するための手段】
【０００６】
本発明に係る情報提供システムは、現在時刻を取得する時刻取得処理部と、利用者が所持する利用者端末から前記利用者の現在位置を取得する位置取得処理部と、前記利用者が公共交通機関により移動中であるか否かを判定する判定処理部と、前記判定処理部により前記利用者が前記公共交通機関により移動中であると判定された場合に、前記時刻取得処理部により取得される前記現在時刻と、前記位置取得処理部により取得される前記現在位置とに基づいて、所定の施設に対応する施設情報を前記利用者端末に提供する情報提供処理部と、を備える。
【０００７】
本発明に係る情報提供方法では、現在時刻を取得し、利用者が所持する利用者端末から前記利用者の現在位置を取得し、前記利用者が公共交通機関により移動中であるか否かを判定し、前記利用者が前記公共交通機関により移動中であると判定された場合に、前記現在時刻と前記現在位置とに基づいて、所定の施設に対応する施設情報を前記利用者端末に提供する。
【０００８】
本発明に係る情報提供プログラムは、現在時刻を取得するステップと、利用者が所持する利用者端末から前記利用者の現在位置を取得するステップと、前記利用者が公共交通機関により移動中であるか否かを判定するステップと、前記利用者が前記公共交通機関により移動中であると判定された場合に、前記現在時刻と前記現在位置とに基づいて、所定の施設に対応する施設情報を前記利用者端末に提供するステップと、をコンピュータに実行させるための情報提供プログラムである。
【発明の効果】
【０００９】
本発明によれば、利用者の移動状態に応じた有益な情報を適切なタイミングで利用者に提供することが可能となる。
【図面の簡単な説明】
【００１０】
【図１】図１は、本発明の実施形態に係る情報提供システムの構成を示すブロック図である。
【図２】図２は、本発明の実施形態に係る情報提供システムで利用される施設情報の一例を示す図である。
【図３】図３は、本発明の実施形態に係る情報提供システムで利用される移動情報の一例を示す図である。
【図４】図４は、本発明の実施形態に係る情報提供システムにおいて、利用者の移動状態を示す模式図である。
【図５】図５は、本発明の実施形態に係る情報提供システムにおいて、利用者の移動速度の変化を示すグラフである。
【図６】図６は、本発明の実施形態に係る情報提供システムの利用者端末に表示される表示画面の一例を示す図である。
【図７】図７は、本発明の実施形態に係る情報提供システムの情報提供処理の手順の一例を示すフローチャートである。
【図８】図８は、本発明の実施形態に係る情報提供システムの情報提供処理の手順の一例を示すフローチャートである。
【図９】図９は、本発明の実施形態に係る情報提供システムの情報提供装置の他の構成を示すブロック図である。
【図１０】図１０は、本発明の実施形態に係る情報提供システムの情報提供装置の他の構成を示すブロック図である。
【図１１】図１１は、本発明の実施形態に係る情報提供システムにおいて、利用者の移動経路を示す模式図である。
【図１２】図１２は、本発明の実施形態に係る情報提供システムの利用者端末の他の構成を示すブロック図である。
【発明を実施するための形態】
【００１１】
以下、添付図面を参照しながら、本発明の実施形態について説明し、本発明の理解に供する。尚、以下の実施形態は、本発明を具体化した一例であって、本発明の技術的範囲を限定するものではない。
【００１２】
本発明に係る情報提供システムは、電車（路面電車を含む）、バス、飛行機などの公共交通機関により移動中の利用者に、当該利用者の現在位置及び現在時刻に基づいて、所定の施設に対応する施設情報を当該利用者が所持する利用者端末に提供（送信）するシステムである。前記施設情報には、飲食店、小売店、休憩所（ホテル等）、遊技場、観光施設などの各種施設に関する情報が含まれる。具体的には例えば、前記施設情報には、前記施設の種別（ジャンル）及び名称、前記施設を利用可能な時間帯を示す営業時間、住所（連絡先）、地図などの情報、前記施設までの道路状況（経路情報、渋滞情報、交通規制情報など）に関する情報、前記施設の周辺の天気に関する情報などが含まれる。
【００１３】
以下では、本発明に係る施設の一例として「飲食店」を例に挙げ、本発明に係る施設情報の一例として飲食店に関する情報を例に挙げて説明する。また、本発明に係る公共交通機関の一例として「電車」を例に挙げる。
【００１４】
図１に示すように、本発明の実施形態に係る情報提供システム１００は、情報提供装置１と、利用者が所持する利用者端末２とを含む。情報提供システム１００は、１台の利用者端末２を備えてもよいし、複数台の利用者端末２を備えてもよい。以下では、１つの利用者端末２を例に挙げて説明する。
【００１５】
情報提供装置１及び利用者端末２は、インターネット、ＬＡＮ、ＷＡＮ、又は公衆電話回線などの通信網Ｎ１を介して通信可能である。
【００１６】
［情報提供装置１］
図１に示すように、情報提供装置１は、制御部１１、記憶部１２、操作表示部１３、通信Ｉ／Ｆ１４などを備える。情報提供装置１は、例えばパーソナルコンピュータのような情報処理装置である。情報提供装置１は、１台のコンピュータに限らず、複数台のコンピュータが協働して動作するコンピュータシステムであってもよい。また、情報提供装置１で実行される各種の処理は、一又は複数のプロセッサーによって分散して実行されてもよい。
【００１７】
通信Ｉ／Ｆ１４は、情報提供装置１を有線又は無線で通信網Ｎ１に接続し、通信網Ｎ１を介して利用者端末２などの外部機器との間で所定の通信プロトコルに従ったデータ通信を実行するための通信インターフェースである。
【００１８】
操作表示部１３は、各種の情報を表示する液晶ディスプレイ又は有機ＥＬディスプレイのような表示部と、操作を受け付けるマウス、キーボード、又はタッチパネルなどの操作部とを備えるユーザーインターフェースである。
【００１９】
記憶部１２は、各種の情報を記憶する半導体メモリ、ＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などを含む不揮発性の記憶部である。例えば、記憶部１２には、制御部１１に後述の情報提供処理（図７参照）を実行させるための情報提供プログラムなどの制御プログラムが記憶されている。例えば、前記情報提供プログラムは、ＵＳＢ、ＣＤ又はＤＶＤ（何れも登録商標）などのコンピュータ読取可能な記録媒体に非一時的に記録されており、情報提供装置１に電気的に接続されるＵＳＢドライブ、ＣＤドライブ又はＤＶＤドライブなどの読取装置（不図示）で読み取られて記憶部１２に記憶される。前記情報提供プログラムは、通信網Ｎ１を介して外部機器からダウンロードされて記憶部１２に記憶されてもよい。
【００２０】
また、記憶部１２には、地図情報データベース１２１（以下、地図情報ＤＢ１２１という。）、施設情報データベース１２２（以下、施設情報ＤＢ１２２という。）、及び移動情報データベース１２３（以下、移動情報ＤＢ１２３という。）が含まれる。地図情報ＤＢ１２１には、路線に関する路線データ、道路に関する道路データ、交差点に関する交差点データ、施設の位置及び外観（形状等）に関する施設データ、経路探索に関する探索データなどの地図情報が記憶される。また、記憶部１２には、前記道路情報が記憶される道路情報データベース、前記天気情報が記憶される天気情報データベースなどが含まれてもよい。
【００２１】
図２は、施設情報ＤＢ１２２の一例を示す図である。施設情報ＤＢ１２２には、施設の種別及び名称、施設の営業時間、施設の住所（連絡先を含む）、施設の最寄駅などの情報が互いに関連付けられて記憶される。施設情報ＤＢ１２２に記憶される情報は、適宜更新されてもよい。
【００２２】
図３は、移動情報ＤＢ１２３の一例を示す図である。移動情報ＤＢ１２３には、利用者の移動状態（移動状況）を示す移動情報が記憶される。例えば移動情報ＤＢ１２３には、利用者が移動を開始した地点を示す移動開始地点、利用者が移動を開始した時刻を示す移動開始時刻、利用者が移動を終了（停止）した地点を示す移動終了地点、利用者が移動を終了した時刻を示す移動終了時刻、利用者の各地点間の移動時間、利用者の各地点間の移動距離、利用者の各地点間の移動速度などの移動情報と、現在時刻の情報とが記憶される。移動情報ＤＢ１２３は、利用者の移動状態（移動、停止）に伴って随時登録及び更新される。図３では、地点Ｈ１から移動を開始し、現在時刻「１０：２６」における利用者の移動状態を示している。
【００２３】
ここで、前記移動情報に対応する具体例を示す。図４は、利用者の移動状態を示す模式図である。図４において、符号Ｈ１は利用者の自宅を示し、符号Ｓ１〜Ｓ３は駅を示し、符号Ｒ１〜Ｒ５は飲食店を示し、符号Ｐ１は利用者の自宅Ｈ１から駅Ｓ１までの徒歩による移動経路を示している。図４では、利用者が自宅Ｈ１を出発してから駅Ｓ１まで経路Ｐ１を徒歩で移動し、駅Ｓ１で電車に乗り、電車が駅Ｓ１と駅Ｓ２との間を走行中であることを示している。例えば、図３に示すように、利用者は、時刻「１０：００」に自宅Ｈ１を出発して徒歩で経路Ｐ１を移動して時刻「１０：１０」に駅Ｓ１に到着する。利用者は、駅Ｓ１で時刻「１０：２０」に電車に乗る。駅Ｓ１を出発した電車は、現在時刻「１０：２６」時点で、駅Ｓ１と駅Ｓ２との間である、駅Ｓ１からの移動距離「６ｋｍ」の地点を駅Ｓ２に向かって走行中である。移動情報ＤＢ１２３には、利用者の位置情報と時刻情報とに基づいて制御部１１により算出される移動時間、移動距離、及び移動速度（加速度を含む）の情報が記憶される。
【００２４】
記憶部１２の地図情報ＤＢ１２１、施設情報ＤＢ１２２、及び移動情報ＤＢ１２３の少なくとも何れか１つは、情報提供装置１の外部に設置されたデータサーバ（図示せず）に記憶されてもよい。前記データサーバは、１つの物理サーバで構成されてもよいし、複数の物理サーバで構築されたクラウドサーバで構成されてもよい。
【００２５】
制御部１１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の演算処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部１１は、前記ＲＯＭ又は記憶部１２に予め記憶された各種の制御プログラムを前記ＣＰＵで実行することにより情報提供装置１を制御する。
【００２６】
具体的に、制御部１１は、時刻取得処理部１１１、位置取得処理部１１２、移動検出処理部１１３、判定処理部１１４、情報検索処理部１１５、情報提供処理部１１６などの各種の処理部を含む。尚、制御部１１は、前記ＣＰＵで前記情報提供プログラムに従った各種の処理を実行することによって前記各種の処理部として機能する。また、制御部１１に含まれる一部又は全部の処理部が電子回路で構成されていてもよい。尚、前記情報提供プログラムは、複数のプロセッサーを前記各種の処理部として機能させるためのプログラムであってもよい。
【００２７】
時刻取得処理部１１１は、現在時刻を取得する。時刻取得処理部１１１は、取得した現在時刻の時刻情報を記憶部１２の移動情報ＤＢ１２３（図３参照）に記憶する。時刻取得処理部１１１は、本発明の時刻取得処理部の一例である。
【００２８】
位置取得処理部１１２は、利用者端末２から受信する位置情報に基づいて、前記現在時刻における利用者の現在位置を取得する。位置取得処理部１１２は、本発明の位置取得処理部の一例である。
【００２９】
移動検出処理部１１３は、前記現在時刻及び前記現在位置の情報に基づいて、利用者の移動情報、例えば前記移動開始地点、前記移動開始時刻、前記移動終了地点、前記移動終了時刻、前記移動時間、前記移動距離、前記移動速度、移動方向などを検出する。移動検出処理部１１３は、検出した前記各移動情報を記憶部１２の移動情報ＤＢ１２３（図３参照）に記憶する。
【００３０】
移動検出処理部１１３は、前記移動速度に基づいて利用者の単位時間当たりの移動速度の変化量（加速度）を検出してもよい。図５は、利用者が自宅Ｈ１を出発した後の利用者の移動速度の変化を示すグラフである。移動検出処理部１１３は、図５に示す移動速度の変化に基づいて加速度を検出する。移動検出処理部１１３は、本発明の移動検出処理部の一例である。
【００３１】
判定処理部１１４は、位置取得処理部１１２により取得される前記現在位置と、移動検出処理部１１３により検出される前記移動速度とに基づいて、利用者が電車により移動中であるか否かを判定する。例えば、判定処理部１１４は、移動検出処理部１１３により検出される前記移動速度が第１閾値未満の速度から第１閾値以上の速度になったか否かを判定する（第１判定処理）。前記第１閾値は、例えば、利用者の移動手段が徒歩から電車に変化したことを検出することが可能な値に設定される。例えば、前記第１閾値が「２０ｋｍ／ｈ」に設定されている場合において、利用者の移動速度が「０．８ｋｍ／ｈ」から「６０ｋｍ／ｈ」に変化した場合、判定処理部１１４は、前記第１判定処理の判定条件を満たすと判定する。
【００３２】
また判定処理部１１４は、移動検出処理部１１３により検出される前記移動速度が第２閾値以上から第２閾値未満になったか否かを判定する（第２判定処理）。前記第２閾値は、例えば、利用者の移動手段が電車から徒歩に変化したことを検出することが可能な値に設定される。例えば、前記第２閾値が「１０ｋｍ／ｈ」に設定されている場合において、利用者の移動速度が「６０ｋｍ／ｈ」から「０．８ｋｍ／ｈ」に変化した場合、判定処理部１１４は、前記第２判定処理の判定条件を満たすと判定する。尚、前記第１閾値及び前記第２閾値は、同一でもよいし異なってもよい。
【００３３】
判定処理部１１４は、利用者の現在位置、前記第１判定処理の結果、及び前記第２判定処理の結果に基づいて、利用者が電車に乗った（乗車した）か否か、利用者が電車により移動中（乗車中）であるか否か、及び、利用者が電車を降りた（降車した）か否かを判定する。例えば、利用者の現在位置又は移動軌跡が線路上に位置しており、利用者の移動速度が前記第１閾値以上の速度である場合、判定処理部１１４は、利用者が電車により移動中（乗車中）であると判定する。
【００３４】
また、判定処理部１１４は、利用者の現在位置と、移動検出処理部１１３により検出される前記加速度（図５等参照）とに基づいて、利用者が電車に乗ったか否か、利用者が電車により移動中であるか否か、及び、利用者が電車を降りたか否かを判定してもよい。例えば、利用者の現在位置又は移動軌跡が線路上に位置しており、前記移動速度の加速度（正の加速度）が第３閾値を超えた場合に、判定処理部１１４は、利用者が電車に乗ったと判定する。また判定処理部１１４は、その後に前記加速度が第４閾値以下になった場合に、利用者が電車で一定速度で移動中であると判定し、さらに、その後に前記移動速度の加速度（負の加速度）が第５閾値を超えた場合に、利用者が電車を降りたと判定する。判定処理部１１４は、前記加速度の変化に基づいて、利用者が電車に乗ってから電車を降りるまでの期間を、電車により移動中であると判定する。
【００３５】
情報検索処理部１１５は、利用者端末２に提供する所定の施設に対応する施設情報を検索する。具体的には、情報検索処理部１１５は、判定処理部１１４により利用者が電車により移動中であると判定された場合に、位置取得処理部１１２により取得される前記現在位置に基づいて、前記施設情報を検索する。
【００３６】
例えば、情報検索処理部１１５は、施設情報ＤＢ１２２（図２参照）から、位置取得処理部１１２により取得される前記現在位置から所定範囲内に位置する施設の前記施設情報を検索する。この場合、図４に示す例では、情報検索処理部１１５は、利用者の前記現在位置から所定範囲ＡＲ１内に位置する飲食店Ｒ２，Ｒ３を抽出する。尚、前記所定範囲ＡＲ１は、利用者の前記現在位置を中心とした範囲（図４参照）でもよいし、利用者が乗車している電車が次に停車する駅（図４の駅Ｓ２）を中心とした範囲でもよい。
【００３７】
また例えば、情報検索処理部１１５は、施設情報ＤＢ１２２（図２参照）から、移動検出処理部１１３により検出される利用者の移動方向に位置する施設の前記施設情報を検索してもよい。この場合、図４に示す例では、情報検索処理部１１５は、利用者の移動方向（Ｄ１方向）に位置する飲食店Ｒ３，Ｒ４，Ｒ５を抽出する。
【００３８】
また、情報検索処理部１１５は、判定処理部１１４により利用者が電車により移動中であると判定された場合に、前記現在位置と前記現在時刻とに基づいて前記施設情報を検索してもよい。例えば、情報検索処理部１１５は、施設情報ＤＢ１２２（図２参照）から、前記現在時刻に利用可能な施設の前記施設情報と、前記現在時刻から所定時間（本発明の第２所定時間に対応）以内に利用可能になる施設の前記施設情報との少なくとも何れか一方を検索してもよい。例えば、図４に示す例では、情報検索処理部１１５は、利用者の移動方向に位置する飲食店Ｒ３，Ｒ４，Ｒ５のうち、現在時刻（例えば「１０：２６」）に利用可能な飲食店Ｒ３の施設情報と、現在時刻から所定時間（例えば２時間）以内に利用可能になる飲食店Ｒ４の施設情報とを抽出する。尚、情報検索処理部１１５は、現在時刻に営業時間が終了している飲食店Ｒ５の施設情報を抽出しない。
【００３９】
情報提供処理部１１６は、情報検索処理部１１５により検索及び抽出された前記施設情報を利用者端末２に提供する。例えば、情報提供処理部１１６は、情報検索処理部１１５により検索された飲食店について、施設情報ＤＢ１２２に含まれる情報と、地図情報ＤＢ１２１に含まれる地図データとを含む施設情報を利用者端末２に送信する。すなわち、利用者に提供される施設情報には、飲食店の地図上の位置及び外観、当該飲食店の名称及び営業時間等の情報が含まれる。尚、情報提供処理部１１６は、前記施設情報に対応する音声データを利用者端末２に送信してもよい。情報提供処理部１１６は、本発明の情報提供処理部の一例である。
【００４０】
［利用者端末２］
図１に示すように、利用者端末２は、制御部２１、記憶部２２、操作表示部２３、通信Ｉ／Ｆ２４、ＧＰＳ受信部２５（ＧＰＳ：Global Positioning System、登録商標）などを備える。利用者端末２は、利用者が所持する携帯端末であり、例えばスマートフォン、携帯電話、又はタブレット端末のような情報処理装置である。
【００４１】
ＧＰＳ受信部２５は、アンテナ（図示せず）を介して複数のＧＰＳ衛星（図示せず）から送信される信号（ＧＰＳ信号）を受信して、利用者端末２の位置を示す測位データ（緯度、経度、高度）及び現在時刻を検出する。
【００４２】
通信Ｉ／Ｆ２４は、利用者端末２を有線又は無線で通信網Ｎ１に接続し、通信網Ｎ１を介して情報提供装置１などの外部機器との間で所定の通信プロトコルに従ったデータ通信を実行するための通信インターフェースである。
【００４３】
操作表示部２３は、各種の情報を表示する液晶ディスプレイ又は有機ＥＬディスプレイのような表示部と、操作を受け付けるマウス、キーボード、又はタッチパネルなどの操作部とを備えるユーザーインターフェースである。
【００４４】
記憶部２２は、各種の情報を記憶するフラッシュメモリーなどの不揮発性の記憶部である。例えば、記憶部２２には、各種の制御プログラムが記憶されている。制御プログラムは、ＵＳＢ、ＣＤ又はＤＶＤ（何れも登録商標）などのコンピュータ読取可能な記録媒体に非一時的に記録されており、利用者端末２に電気的に接続されるＵＳＢドライブ、ＣＤドライブ又はＤＶＤドライブなどの読取装置（不図示）で読み取られて記憶部２２に記憶される。前記制御プログラムは、通信網Ｎ１を介して外部機器からダウンロードされて記憶部２２に記憶されてもよい。
【００４５】
制御部２１は、ＣＰＵ、ＲＯＭ、及びＲＡＭなどの制御機器を有する。前記ＣＰＵは、各種の演算処理を実行するプロセッサーである。前記ＲＯＭは、前記ＣＰＵに各種の処理を実行させるためのＢＩＯＳ及びＯＳなどの制御プログラムが予め記憶された不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部２１は、前記ＲＯＭ又は記憶部２２に予め記憶された各種の制御プログラムを前記ＣＰＵで実行することにより利用者端末２を制御する。
【００４６】
具体的に、制御部２１は、受付処理部２１１、位置検出処理部２１２、表示処理部２１３などの各種の処理部を含む。尚、制御部２１は、前記ＣＰＵで前記制御プログラムに従った各種の処理を実行することによって前記各種の処理部として機能する。また、制御部２１に含まれる一部又は全部の処理部が電子回路で構成されていてもよい。尚、前記制御プログラムは、複数のプロセッサーを前記各種の処理部として機能させるためのプログラムであってもよい。
【００４７】
受付処理部２１１は、利用者が利用者端末２の操作表示部２３において操作した操作情報を取得する。例えば、受付処理部２１１は、利用者が操作表示部２３に表示される設定画面において地図の表示を指示する操作、施設情報の提供を指示する操作、目的地を設定する操作等を行った場合に、当該操作に応じた情報を取得する。利用者端末２は、受付処理部２１１により取得される情報を情報提供装置１に送信する。尚、受付処理部２１１が一定期間、前記操作情報を取得しない場合、制御部２１は、利用者端末２を待機状態（スリープモード）に設定する。
【００４８】
位置検出処理部２１２は、ＧＰＳ受信部２５により検出される前記測位データに基づいて、利用者の現在位置を検出する。利用者端末２は、位置検出処理部２１２により検出される現在位置及び現在時刻を含む位置情報を情報提供装置１に送信する。
【００４９】
表示処理部２１３は、各種の情報を操作表示部２３に表示させる。例えば、表示処理部２１３は、情報提供装置１から前記所定の情報（例えば施設情報）を受信すると、当該所定の情報を操作表示部２３に表示させる。例えば表示処理部２１３は、情報提供装置１から飲食店Ｒ２の地図データを含む施設情報を受信すると、図６に示すように、操作表示部２３に地図を表示させ、当該地図上に、飲食店Ｒ２の位置、外観、最寄駅Ｓ２から飲食店Ｒ２までの経路Ｇ１などの情報を表示させる。また表示処理部２１３は、利用者が操作する各種の設定画面を操作表示部２３に表示させる。
【００５０】
尚、利用者端末２は、情報提供装置１から前記音声データを受信した場合、前記所定の情報を音声により外部に出力してもよい。
【００５１】
［情報提供処理］
以下、図７を参照しつつ、情報提供装置１の制御部１１によって実行される情報提供処理について説明する。制御部１１は、利用者の操作、例えば利用者端末２に表示される設定画面において施設情報の提供を指示する操作に応じて前記情報提供プログラムの実行を開始することによって、前記情報提供処理の実行を開始する。尚、前記情報提供処理は、利用者端末２における所定の操作に応じて途中で終了されることがある。
【００５２】
尚、本発明は、前記情報提供処理に含まれる一又は複数のステップを実行する情報提供方法の発明として捉えることができる。
【００５３】
また、ここで説明する前記情報提供処理に含まれる一又は複数のステップが適宜省略されてもよい。また、前記情報提供処理における各ステップは、同様の作用効果を生じる範囲で実行順序が異なってもよい。さらに、ここでは制御部１１によって前記情報提供処理における各ステップが実行される場合を例に挙げて説明するが、他の実施形態では、複数のプロセッサーによって前記情報提供処理における各ステップが分散して実行されてもよい。また、ここでは、上述の例に挙げて、情報提供処理について説明する。
【００５４】
ステップＳ１１において、制御部１１（時刻取得処理部１１１）は、現在時刻を取得する。ステップＳ１２において、制御部１１（位置取得処理部１１２）は、利用者端末２から受信する前記位置情報に基づいて、現在時刻における利用者の現在位置を取得する。
【００５５】
ステップＳ１３において、制御部１１（移動検出処理部１１３）は、前記現在時刻及び前記現在位置の情報に基づいて、利用者の移動情報、例えば前記移動速度を検出する。制御部１１は、検出した前記移動速度を含む移動情報を移動情報ＤＢ１２３（図３参照）に記憶する。
【００５６】
ステップＳ１４において、制御部１１（判定処理部１１４）は、移動検出処理部１１３により検出された前記移動速度が前記第１閾値未満の速度から前記第１閾値以上の速度になったか否かを判定する（第１判定処理）。前記移動速度が前記第１閾値未満の速度から前記第１閾値以上の速度になった場合（Ｓ１４：ＹＥＳ）、処理はステップＳ１５に移行する。ここでは、例えば図３及び図５に示すように、利用者の移動速度が０．８ｋｍ／ｈから前記第１閾値の２０ｋｍ／ｈ以上となるため、処理はステップＳ１５に移行する。前記移動速度が前記第１閾値未満の速度から前記第１閾値以上の速度にならない場合（Ｓ１４：ＮＯ）、処理はステップＳ１１に戻る。
【００５７】
ステップＳ１５において、制御部１１（情報検索処理部１１５）は、利用者に提供する所定の情報（施設情報）を検索する情報検索処理を実行する。図８は、情報提供装置１の制御部１１によって実行される情報検索処理の手順の一例を示すフローチャートである。ここでは、飲食店の営業時間を考慮した情報検索処理を例に挙げる。
【００５８】
図８に示すステップＳ２１において、制御部１１（情報検索処理部１１５）は、施設情報ＤＢ１２２（図２参照）に登録された複数の施設情報から１つの施設情報を取得する。例えば、制御部１１は飲食店Ｒ１の施設情報（営業時間、住所）を取得する。
【００５９】
ステップＳ２２において、制御部１１（情報検索処理部１１５）は、取得した飲食店Ｒ１の施設情報に基づいて、飲食店Ｒ１が利用者の現在位置から所定範囲ＡＲ１内に位置するか否かを判定する。ここでは、図４に示すように、飲食店Ｒ１は、利用者の現在位置から所定範囲ＡＲ１内に位置しないため（Ｓ２２：ＮＯ）、処理はステップＳ２５に移行する。
【００６０】
ステップＳ２５において、施設情報ＤＢ１２２に登録された他の施設情報がある場合（Ｓ２５：ＹＥＳ）、処理はステップＳ２１に戻る。ステップＳ２１に戻り、制御部１１（情報検索処理部１１５）は、施設情報ＤＢ１２２に登録された飲食店Ｒ２の施設情報（営業時間、住所）を取得する。ここでは、図４に示すように、飲食店Ｒ２は、利用者の現在位置から所定範囲ＡＲ１内に位置するため（Ｓ２２：ＹＥＳ）、処理はステップＳ２３に移行する。
【００６１】
ステップＳ２３において、制御部１１（情報検索処理部１１５）は、取得した飲食店Ｒ２の施設情報に基づいて、現在時刻が飲食店Ｒ２の営業時間内であるか否かを判定する。例えば、現在時刻が「１０：２６」であり、飲食店Ｒ２の営業時間が「１７：００〜２３：００」である場合、現在時刻は飲食店Ｒ２の営業時間内ではないため（Ｓ２３：ＮＯ）、処理はステップＳ２５に移行する。尚、飲食店Ｒ２の営業開始時間は、現在時刻から所定時間（例えば２時間）以内でもないため、処理はステップＳ２５に移行する。
【００６２】
ステップＳ２５において、施設情報ＤＢ１２２に登録された他の施設情報がある場合（Ｓ２５：ＹＥＳ）、処理はステップＳ２１に戻る。ステップＳ２１に戻り、制御部１１（情報検索処理部１１５）は、施設情報ＤＢ１２２に登録された飲食店Ｒ３の施設情報（営業時間、住所）を取得する。ここでは、図４に示すように、飲食店Ｒ３は、利用者の現在位置から所定範囲ＡＲ１内に位置するため（Ｓ２２：ＹＥＳ）、処理はステップＳ２３に移行する。
【００６３】
ステップＳ２３において、制御部１１（情報検索処理部１１５）は、取得した飲食店Ｒ３の施設情報に基づいて、現在時刻が飲食店Ｒ３の営業時間内であるか否かを判定する。例えば、現在時刻が「１０：２６」であり、飲食店Ｒ３の営業時間が「１０：００〜１４：００」である場合、現在時刻は飲食店Ｒ２の営業時間内であるため（Ｓ２３：ＹＥＳ）、処理はステップＳ２４に移行する。
【００６４】
ステップＳ２４において、制御部１１（情報検索処理部１１５）は、飲食店Ｒ３を情報提供の対象の飲食店に決定する。その後、処理はステップＳ２５に移行する。
【００６５】
施設情報ＤＢ１２２（図２参照）に登録された全ての飲食店について、上述のステップＳ２１〜Ｓ２５の処理が実行される。これにより、例えば飲食店Ｒ３，Ｒ４が、情報提供の対象の飲食店に決定（抽出）される。上述のステップＳ２１〜Ｓ２５の処理が終了すると、処理はステップＳ１６（図７参照）に移行する。
【００６６】
ステップＳ１６において、情報検索処理部１１５により検索（決定）された情報提供の対象の飲食店がある場合（Ｓ１６：ＹＥＳ）、処理はステップＳ１７に移行する。情報提供の対象の飲食店がない場合（Ｓ１６：ＮＯ）、処理は終了する。
【００６７】
ステップＳ１７において、制御部１１（情報提供処理部１１６）は、情報検索処理部１１５により決定された飲食店に関する施設情報を利用者端末２に提供する。例えば、制御部１１は、情報検索処理部１１５により決定された飲食店Ｒ３，Ｒ４について、施設情報ＤＢ１２２に含まれる情報と、地図情報ＤＢ１２１に含まれる地図データとを含む施設情報を利用者端末２に送信する。
【００６８】
以上のようにして、前記情報提供処理が実行される。前記情報提供処理が実行されると、利用者端末２は、情報提供装置１から前記施設情報を受信する。利用者端末２が前記施設情報を受信すると、制御部２１（表示処理部２１３）は、例えば図６に示すように、操作表示部２３に表示される地図上に、飲食店Ｒ３の位置、駅Ｓ２からの経路Ｇ１、駅Ｓ２から飲食店Ｒ３までの所要時間等の情報を表示する。尚、図６において、符号Ｐ１は、利用者の現在位置を示している。
【００６９】
本発明の実施形態に係る情報提供システム１００によれば、利用者が公共交通機関（例えば電車）により移動中であることが検出されると、利用者の現在位置及び現在時刻に基づいて施設情報が検索（抽出）され、当該施設情報が利用者端末２に提供される。これにより、利用者は例えば電車内において、提供された施設情報をゆっくり閲覧することができる。また、前記施設情報は、前記現在位置及び現在時刻に応じた情報である。よって、例えば利用者は、昼食の時間帯において、利用者の現在位置に近く、昼食を取ることができる飲食店の情報を、電車で移動中に確認することができる。尚、利用者に提供される前記施設情報は、利用者の現在位置及び現在時刻に応じて随時更新される。よって、情報提供システム１００によれば、利用者の移動状態に応じた有益な情報を適切なタイミングで提供することが可能となる。
【００７０】
本発明の情報提供システム１００は、上述の実施形態に限定されず、以下に示す実施形態であってもよい。
【００７１】
他の実施形態として、情報提供装置１の情報提供処理部１１６は、利用者が電車に乗ってから所定時間（本発明の第１所定時間に対応）が経過した場合に、前記施設情報を利用者端末２に提供する構成であってもよい。例えば、利用者は、電車に乗った直後は車内を移動したり座席に座ったりするために時間を要し、利用者端末２を操作することが難しい場合がある。また利用者が電車に乗った直後は、電車の速度が徐々に速くなり（加速度が大きくなり）、利用者は安定した姿勢を取ることが難しい場合がある。そこで、情報提供処理部１１６は、利用者が電車に乗ってから所定時間が経過し、電車の走行が安定した時点で、前記施設情報を利用者端末２に提供する。
【００７２】
具体的には、判定処理部１１４が、利用者が電車に乗ったと判定した場合に時間の計測を開始し、利用者が電車に乗ってから所定時間が経過したか否かを判定する。判定処理部１１４により前記所定時間が経過したと判定されると、情報検索処理部１１５が前記施設情報を検索する。そして、情報提供処理部１１６が、情報検索処理部１１５により検索された前記施設情報を利用者に提供する。
【００７３】
また、情報提供処理部１１６は、移動検出処理部１１３により検出される利用者の移動速度の加速度が閾値以下になった場合に、前記施設情報を利用者端末２に提供する構成であってもよい。具体的には、判定処理部１１４が、利用者が電車に乗ったと判定した場合に、移動検出処理部１１３により検出される加速度が前記第４閾値以下であるか否かを判定する。判定処理部１１４により前記加速度が前記第４閾値以下であると判定されると、情報検索処理部１１５が前記施設情報を検索する。そして、情報提供処理部１１６が、情報検索処理部１１５により検索された前記施設情報を利用者に提供する。
【００７４】
例えば図５に示すように、利用者が電車に乗ってから所定時間が経過すると、移動速度が一定（６０ｋｍ／ｈ）になる。また、利用者が電車に乗った後、加速度が前記第４閾値以下になると、移動速度が一定（６０ｋｍ／ｈ）になる。前記所定時間が経過したり、前記移動速度が一定になると、電車の走行が安定し利用者は姿勢が安定し利用者端末２の操作を行うことが可能な状態となる。上述の構成によれば、利用者が利用者端末２の操作を安定いて行うことが可能な状態になったタイミングで前記施設情報が提供される。このため、利用者は、前記施設情報を確実に取得（受信操作）して確認することができる。
【００７５】
また他の実施形態として、図９に示すように、情報提供装置１の制御部１１は、利用者端末２の操作状態を検出する操作検出処理部１１７をさらに備えてもよい。この場合、情報提供処理部１１６は、利用者端末２が利用者により操作されていない場合に、前記施設情報を利用者端末２に提供する。操作検出処理部１１７は、本発明の操作検出処理部の一例である。
【００７６】
例えば、利用者が利用者端末２で文字を入力したり、動画を視聴したりしているときに情報提供装置１から利用者端末２に前記施設情報が送信されると、利用者端末２において、前記施設情報の受信通知が表示されたり、受信した前記施設情報が表示されたりする。この場合、利用者は、作業、視聴などを中断しなければならない。そこで、情報提供処理部１１６は、利用者端末２が利用者により操作されていない場合に、前記施設情報を利用者端末２に提供する。
【００７７】
例えば操作検出処理部１１７は、利用者端末２が一定期間操作されず待機状態（スリープモード）であることを示す情報を取得した場合に、利用者端末２が利用者により操作されていないと判断する。情報提供処理部１１６は、操作検出処理部１１７により利用者端末２が利用者により操作されていないことが検出された場合に、前記施設情報を利用者端末２に送信する。尚、操作検出処理部１１７により利用者端末２が利用者により操作されていないことが検出された場合に、情報検索処理部１１５が前記施設情報を検索する処理を行ってもよい。
【００７８】
これにより、利用者が利用者端末２を操作していないときに前記施設情報を提供することができるため、利用者に確実に前記施設情報を確認させることができる。また、利用者が利用者端末２を操作している間は前記施設情報が提供されないため、利用者の作業を中断させることもない。
【００７９】
また、情報提供処理部１１６は、利用者端末２が利用者により所定の操作が行われた場合に、前記施設情報を利用者端末２に提供してもよい。具体的には、操作検出処理部１１７は、利用者端末２に対して利用者が操作した操作情報を取得して利用者端末２の状態を検出する。例えば、操作検出処理部１１７は、ＷＥＢページを閲覧する操作の操作情報、利用者が文字入力する操作の操作情報などを取得して利用者端末２の状態を検出する。例えば、操作検出処理部１１７は、利用者がＷＥＢページを閲覧する操作の操作情報を取得した場合に、利用者端末２がＷＥＢページ表示中の状態であると判断する。この場合、情報提供処理部１１６は、前記施設情報を利用者端末２に送信する。これに対して、例えば、操作検出処理部１１７は、利用者が文字を入力する操作の操作情報を取得した場合に、利用者端末２が文字入力処理中の状態であると判断する。この場合、情報提供処理部１１６は、前記施設情報を利用者端末２に送信しない。
【００８０】
このように、情報提供処理部１１６は、利用者がＷＥＢページ、画像、音楽などのコンテンツを表示、再生を指示する操作を行って、利用者端末２が情報を出力している場合に、前記施設情報を利用者端末２に送信する。一方、情報提供処理部１１６は、利用者が文字の入力など継続的な操作（作業）を行って、利用者端末２が当該操作を受け付けている場合には、前記施設情報を利用者端末２に送信しない。
【００８１】
この構成によれば、利用者が利用者端末２の表示画面を閲覧しているときに前記施設情報を提供することができるため、利用者に確実に前記施設情報を確認させることができる。また、利用者が利用者端末２で入力操作などの作業をしている間は前記施設情報が提供されないため、利用者の作業を中断させることもない。
【００８２】
また他の実施形態として、図１０に示すように、情報提供装置１の制御部１１は、利用者の移動履歴（移動パターン）に基づいて、利用者が利用する駅を特定する特定処理部１１８をさらに備えてもよい。図１１は、利用者の移動パターンの一例を示す移動経路（通勤経路）である。例えば利用者は、通勤（出勤）する際に、自宅Ｈ１から駅Ｓ１まで経路Ｐ１を徒歩で移動し、駅Ｓ１から駅Ｓ３まで経路Ｐ２を電車で移動し、駅Ｓ３から職場Ｃ１まで経路Ｐ３を徒歩で移動する。
【００８３】
特定処理部１１８は、位置取得処理部１１２により取得される前記現在位置と、移動検出処理部１１３により検出される前記移動速度とに基づいて、利用者が利用する利用駅を特定（検出）する。具体的には、特定処理部１１８は、前記現在位置と、前記移動速度の変化又は加速度の変化とに基づいて、利用者が電車に乗る駅（乗車駅）及び電車を降りる駅（降車駅）を示す利用駅を特定する。前記利用駅は、本発明の利用停車場の一例である。尚、停車場には、バス停留所など公共交通機関の各停車場が含まれる。
【００８４】
例えば、特定処理部１１８は、移動検出処理部１１３により検出される前記移動速度が前記第１閾値未満の速度から前記第１閾値以上の速度になったときに位置取得処理部１１２により取得される前記現在位置に最も近い駅を第１利用駅として特定する。この場合、前記第１利用駅は乗車駅を示している。例えば図１０に示す移動経路の場合、特定処理部１１８は、駅Ｓ１を第１利用駅として特定する。
【００８５】
また、特定処理部１１８は、移動検出処理部１１３により検出される前記移動速度が前記第２閾値以上の速度から前記第２閾値未満の速度になったときに位置取得処理部１１２により取得される前記現在位置に最も近い駅を第２利用駅として特定する。この場合、前記第２利用駅は降車駅を示している。例えば図１０に示す移動経路の場合、特定処理部１１８は、駅Ｓ３を第２利用駅として特定する。
【００８６】
情報検索処理部１１５は、判定処理部１１４により利用者が電車により移動中であると判定された場合に、位置取得処理部１１２により取得される前記現在位置と、特定処理部１１８により特定された利用駅とに基づいて、前記施設情報を検索する。例えば、図４に示すように、利用者が電車で駅Ｓ１と駅Ｓ２との間を移動中（乗車中）である場合、情報検索処理部１１５は、前記第２利用駅（降車駅）として特定された駅Ｓ３に関連付けられた飲食店に対応する施設情報を検索する。ここでは、情報検索処理部１１５は、施設情報ＤＢ１２２から、駅Ｓ３に関連付けられた飲食店Ｒ４，Ｒ５の施設情報を抽出する。尚、情報検索処理部１１５は、現在時刻に利用可能でない飲食店Ｒ５の施設情報を省略してもよい。
【００８７】
情報提供処理部１１６は、情報検索処理部１１５により検索された前記施設情報（例えば飲食店Ｒ４，Ｒ５の施設情報）を利用者端末２に送信する。
【００８８】
この構成によれば、利用者が普段利用する利用駅に関連付けられた施設、例えば利用駅の周辺の施設に対応する施設情報を利用者に提供することができる。このため、各利用者は、自身の移動パターンに応じた有益な情報を取得することができる。尚、上述の説明では、利用者が通勤時に利用する駅を例に挙げたが、本発明の利用停車場はこれに限定されない。例えば、前記利用停車場は、利用者が定期的に利用する駅、又は、利用者が一度しか利用しない駅であってもよい。
【００８９】
また他の実施形態として、情報提供処理部１１６は、利用者に提供した施設情報のうち、現在時刻が、利用可能な時間帯（営業時間）を過ぎた飲食店の施設情報を削除する構成としてもよい。
【００９０】
また他の実施形態として、情報提供装置１の制御部１１が備える一又は複数の処理部を、利用者端末２の制御部２１が備えてもよい。図１２は、利用者端末２の他の実施形態を示すブロック図である。図１２では、図１に示すブロック図に示す各処理部と同一の機能を有する処理部には同一の符号を付している。記憶部２２に記憶される各情報は、外部機器から取得してもよい。また制御部２１は、前記情報提供プログラムをインターネットを介して記憶部２２にダウンロードして、前記情報提供処理（図７参照）を実行してもよいし、外部のサーバに記憶された前記情報提供プログラムを実行することにより前記情報提供処理（図７参照）を実行してもよい。本発明の情報処理システムは、情報提供装置１で構成されてもよいし、利用者端末２で構成されてもよいし、情報提供装置１及び利用者端末２で構成されてもよい。
【符号の説明】
【００９１】
１          ：情報提供装置
２          ：利用者端末
１１        ：制御部
１２        ：記憶部
１３        ：操作表示部
１４        ：通信Ｉ／Ｆ
２１        ：制御部
２２        ：記憶部
２３        ：操作表示部
２４        ：通信Ｉ／Ｆ
２５        ：ＧＰＳ受信部
１００      ：情報提供システム
１１１      ：時刻取得処理部
１１２      ：位置取得処理部
１１３      ：移動検出処理部
１１４      ：判定処理部
１１５      ：情報検索処理部
１１６      ：情報提供処理部
１１７      ：操作検出処理部
１１８      ：特定処理部
１２１      ：地図情報データベース
１２２      ：施設情報データベース
１２３      ：移動情報データベース
２１１      ：受付処理部
２１２      ：位置検出処理部
２１３      ：表示処理部
【図１】
2020030573.tif 000003
【図２】
2020030573.tif 000004
【図３】
2020030573.tif 000005
【図４】
2020030573.tif 000006
【図５】
2020030573.tif 000007
【図６】
2020030573.tif 000008
【図７】
2020030573.tif 000009
【図８】
2020030573.tif 000010
【図９】
2020030573.tif 000011
【図１０】
2020030573.tif 000012
【図１１】
2020030573.tif 000013
【図１２】
2020030573.tif 000014